(57)【要約】【課題】画像形成ユニットにおいて、ビスを用いることなく抵抗素子と抵抗保持部材とを確実に接続する。【解決手段】感光体ドラム、現像ローラを備えて装置本体に対して着脱可能に設けられた画像形成ユニットと、相互に並列接続されて画像形成ユニットに取り付けられ、所定の電気抵抗値を有する第１の抵抗素子２１および当該第１の抵抗素子２１よりも大きな電気抵抗値を有する第２の抵抗素子２２と、第１および第２の抵抗素子２１，２２に設けられたリード２１ａ，２２ａが径方向から挿し込まれるスリット２３ａ、および画像形成ユニットに装着されると弾発力に抗して変形してリード２１ａ，２２ａが挟み込まれる挟持部２３ｂとが形成され、第１および第２の抵抗素子２１，２２を保持する導電性を備えた抵抗保持部材２３とを有する構成とする。【選択図】  図３
2004233787.tif 000002
【特許請求の範囲】
【請求項１】
回転可能に設けられた感光体、および帯電された前記感光体に形成された静電潜像にトナーを供給してこれを顕像化する現像手段を備えて装置本体に対して着脱可能に設けられた画像形成ユニットであって、
相互に並列接続されて前記画像形成ユニットに取り付けられ、所定の電気抵抗値を有する第１の抵抗素子および当該第１の抵抗素子よりも大きな電気抵抗値を有する第２の抵抗素子と、
前記第１および第２の抵抗素子に設けられたリードが径方向から挿し込まれるスリット、および前記画像形成ユニットに装着されると弾発力に抗して変形して前記リードが挟み込まれる挟持部とが形成され、前記第１および第２の抵抗素子を保持する導電性を備えた抵抗保持部材とを有することを特徴とする画像形成ユニット。
【請求項２】
回転可能に設けられた感光体、および帯電された前記感光体に形成された静電潜像にトナーを供給してこれを顕像化する現像手段を備えて装置本体に対して着脱可能に設けられた画像形成ユニットであって、
相互に並列接続されて前記画像形成ユニットに取り付けられ、所定の電気抵抗値を有する第１の抵抗素子および当該第１の抵抗素子よりも大きな電気抵抗値を有する第２の抵抗素子と、
弾発復元力により相互に径方向に離反した第１の貫通孔および第２の貫通孔が形成され、前記第１および第２の抵抗素子に設けられて前記第１および第２の貫通孔を貫通したリードを前記弾発復元力により挟み込んで前記第１および第２の抵抗素子を保持する導電性を備えた抵抗保持部材とを有することを特徴とする画像形成ユニット。
【請求項３】
請求項１または２記載の画像形成ユニットが用いられていることを特徴とする画像形成装置。
【発明の詳細な説明】
【０００１】
【発明の属する技術分野】
本発明は、画像形成ユニットおよび画像形成装置に関するものである。
【０００２】
【従来の技術】
従来から、電子写真方式を採用した画像形成装置においては、像担持体である感光体を帯電器により帯電し、帯電された感光体に画像情報に応じた光照射を行って潜像を形成し、この潜像を現像器によって現像し、現像されたトナー像を記録媒体に転写して画像を形成することが行われている。
【０００３】
一方、画像のカラー化に伴って、このような各画像形成プロセスが実行される画像形成ユニットを複数備え、シアン像、マゼンタ像、イエロー像、好ましくはブラック像の各色トナー像をそれぞれの感光体に形成し、各感光体の転写位置において無端状の中間転写体にこれらのトナー像を重ね合わせて転写することによりフルカラー画像を形成するタンデム方式のカラー画像形成装置も提案されている。
【０００４】
このようなタンデム方式のカラー画像形成装置は各色ごとにそれぞれの画像形成部を有するため、高速化に有利である。
【０００５】
以下に、タンデム方式の従来のカラー画像形成装置について説明する。
【０００６】
図７は従来のカラー画像形成装置の構成を示す概略図である。
【０００７】
図７において、カラー画像形成装置の本体１内にイエロー（Ｙ）、マゼンタ（Ｍ）、シアン（Ｃ）、ブラック（Ｋ）の各色のトナー像をそれぞれ形成するための画像形成ユニット２，３，４，５が配置され、これらの画像形成ユニット２〜５のそれぞれに対応して露光器６ａ，６ｂ，６ｃ，６ｄを備えている。画像形成ユニット２〜５は、露光器６ａ〜６ｄからのレーザビームの照射によってその周面に静電潜像を形成する感光体ドラム（感光体）２ａ，３ａ，４ａ，５ａと、トナータンクから供給されるトナーを感光体ドラム２ａ〜５ａに付着させて静電潜像をトナー像として顕像化する現像ローラ（現像手段）２ｂ，３ｂ，４ｂ，５ｂ、画像転写後の感光体ドラム２ａ〜５ａに残留しているトナーを除去するクリーニングブレード等を備えたものである。
【０００８】
画像形成ユニット２〜５の下側には、感光体ドラム２ａ，３ａ，４ａ，５ａ上に顕像化された各色トナー像が重ね転写してカラートナー像を形成す無端状の中間転写ベルト（中間転写体）７が矢印方向に走行可能に配置されている。中間転写ベルト７には、駆動ローラ８、テンションローラ９、４個の第１の転写ローラ１０ａ，１０ｂ，１０ｃ，１０ｄ、従動ローラ１１がループ内に配置されている。
【０００９】
装置の下部には、用紙（記録媒体）Ｐが収納された給紙カセット１３が設けられている。そして、用紙Ｐは、給紙ローラにより給紙カセット１３から１枚ずつ用紙搬送路に送り出される。
【００１０】
用紙搬送路上には、従動ローラ１１の位置で中間転写ベルト７の外周面と所定量にわたって接触して中間転写ベルト７上のカラー画像を用紙Ｐに転写する第２の転写ローラ１２、用紙Ｐ上に転写されたカラー画像を用紙Ｐに定着する定着器１４が配置されている。
【００１１】
中間転写ベルト７の表面には画像形成ユニット２〜５の感光体ドラム２ａ〜５ａによってイエロー、マゼンタ、シアン、ブラックのトナー像が付着しカラー画像が形成される。そして、このトナーによるカラー画像は従動ローラ１１と第２の転写ローラ１２との間のニップ力によって、給紙カセット１３から取り出された用紙Ｐに転写される。そして、用紙Ｐは定着器１４に供給されてトナー像を定着した後に排紙される。
【００１２】
図８は図７のカラー画像形成装置に設けられた抵抗素子および一例としての抵抗保持部材を示す分解斜視図である。
【００１３】
このようなカラー画像形成装置において、図８に示すように、画像形成ユニット２〜５には、たとえば９０Ωの電気抵抗値を有する第１の抵抗素子２１と、第１の抵抗素子２１よりも大きな、たとえば５ｋΩの電気抵抗値を有する第２の抵抗素子２２とが相互に並列接続されて取り付けられている。これら第１および第２の抵抗素子２１，２２は、そのリード２１ａ，２２ａが導電性を有する板状の抵抗保持部材２５に挟み込まれ、ビス２６により固定されている。
【００１４】
そして、画像形成ユニット２〜５が装置本体に装着された状態で第１および第２の抵抗素子２１，２２が装置本体と電気的に接続されるようになっている。これにより、装置本体側から給電が行われると、画像形成ユニット２〜５が装着されていれば第１および第２の抵抗素子２１，２２を介して導通があるので、この導通の有無で画像形成ユニット２〜５の着脱が認識されるようになっている。
【００１５】
また、画像形成ユニット２〜５が新規に装着されたときには第１の抵抗素子２１および第２の抵抗素子２２の両方に電流が流れることから、当該電流値により画像形成ユニット２〜５が新規であることが認識されて装置本体側の印字枚数カウンタがゼロにリセットされる。
【００１６】
画像形成ユニット２〜５がたとえば２，０００枚を印字したならば、第１の抵抗素子２１に過電流を流してこれを電気的に切断する。これにより、当該画像形成ユニット２〜５は「新品」の状態ではなくなったことになる。このとき、第１の抵抗素子２１は切断されて第２の抵抗素子２２のみに電流が流れることから、当該電流値により画像形成ユニット２〜５が「新品」でなくなったことが認識される。なお、装置本体側の印字枚数カウンタはカウントを継続する。
【００１７】
そして、印字枚数カウンタがたとえば印字枚数５０，０００枚をカウントしたならば、ユーザに対して交換を促すメッセージが表示される。
【００１８】
その他、回路上の素子に過電流を流して破壊することにより、部品の新旧を判断する発明を開示した特許文献として、特開平１０−２４００６８号公報がある。
【００１９】
【特許文献１】
特開平１０−２４００６８号公報
【００２０】
【発明が解決しようとする課題】
前述したように、従来の構成では、第１および第２の抵抗素子の電気的接続を確実にするために、リードと板状の抵抗保持部材とをビスにより固定している。
【００２１】
しかしながら、ビス固定では組立工数が増加するのみならず、環境性や分解性に配慮したビスレス化の要請にも反する。
【００２２】
ここで、抵抗保持部材を廃止してしまうと、第１および第２の抵抗素子のリードの接続が不安定になるので好ましくない。
【００２３】
そこで、本発明は、ビスを用いることなく抵抗素子と抵抗保持部材とを確実に接続することのできる画像形成ユニットおよび画像成形装置を提供することを目的とする。
【００２４】
【課題を解決するための手段】
この課題を解決するために、本発明の画像形成ユニットは、回転可能に設けられた感光体、および帯電された感光体に形成された静電潜像にトナーを供給してこれを顕像化する現像手段を備えて装置本体に対して着脱可能に設けられた画像形成ユニットであって、相互に並列接続されて画像形成ユニットに取り付けられ、所定の電気抵抗値を有する第１の抵抗素子および当該第１の抵抗素子よりも大きな電気抵抗値を有する第２の抵抗素子と、第１および第２の抵抗素子に設けられたリードが径方向から挿し込まれるスリット、および画像形成ユニットに装着されると弾発力に抗して変形してリードが挟み込まれる挟持部とが形成され、第１および第２の抵抗素子を保持する導電性を備えた抵抗保持部材とを有する構成としたものである。
【００２５】
これによれば、画像形成ユニットに装着された挟持部によりリードが挟み込まれるので、ビスを用いることなく抵抗素子と抵抗保持部材とを確実に接続することが可能になる。
【００２６】
また、この課題を解決するために、本発明の画像形成ユニットは、回転可能に設けられた感光体、および帯電された感光体に形成された静電潜像にトナーを供給してこれを顕像化する現像手段を備えて装置本体に対して着脱可能に設けられた画像形成ユニットであって、相互に並列接続されて画像形成ユニットに取り付けられ、所定の電気抵抗値を有する第１の抵抗素子および当該第１の抵抗素子よりも大きな電気抵抗値を有する第２の抵抗素子と、弾発復元力により相互に径方向に離反した第１の貫通孔および第２の貫通孔が形成され、第１および第２の抵抗素子に設けられて第１および第２の貫通孔を貫通したリードを弾発復元力により挟み込んで第１および第２の抵抗素子を保持する導電性を備えた抵抗保持部材とを有する構成としたものである。
【００２７】
これによれば、抵抗保持部材が有する復元力によりリードが第１および第２の貫通孔に挟み込まれた状態で第１および第２の抵抗素子が保持されるので、ビスを用いることなく抵抗素子と抵抗保持部材とを確実に接続することが可能になる。
【００２８】
【発明の実施の形態】
本発明の請求項１に記載の発明は、回転可能に設けられた感光体、および帯電された感光体に形成された静電潜像にトナーを供給してこれを顕像化する現像手段を備えて装置本体に対して着脱可能に設けられた画像形成ユニットであって、相互に並列接続されて画像形成ユニットに取り付けられ、所定の電気抵抗値を有する第１の抵抗素子および当該第１の抵抗素子よりも大きな電気抵抗値を有する第２の抵抗素子と、第１および第２の抵抗素子に設けられたリードが径方向から挿し込まれるスリット、および画像形成ユニットに装着されると弾発力に抗して変形してリードが挟み込まれる挟持部とが形成され、第１および第２の抵抗素子を保持する導電性を備えた抵抗保持部材とを有する画像形成ユニットであり、画像形成ユニットに装着された挟持部によりリードが挟み込まれるので、ビスを用いることなく抵抗素子と抵抗保持部材とを確実に接続することが可能になるという作用を有する。
【００２９】
本発明の請求項２に記載の発明は、回転可能に設けられた感光体、および帯電された感光体に形成された静電潜像にトナーを供給してこれを顕像化する現像手段を備えて装置本体に対して着脱可能に設けられた画像形成ユニットであって、相互に並列接続されて画像形成ユニットに取り付けられ、所定の電気抵抗値を有する第１の抵抗素子および当該第１の抵抗素子よりも大きな電気抵抗値を有する第２の抵抗素子と、弾発復元力により相互に径方向に離反した第１の貫通孔および第２の貫通孔が形成され、第１および第２の抵抗素子に設けられて第１および第２の貫通孔を貫通したリードを弾発復元力により挟み込んで第１および第２の抵抗素子を保持する導電性を備えた抵抗保持部材とを有する画像形成ユニットであり、抵抗保持部材が有する復元力によりリードが第１および第２の貫通孔に挟み込まれた状態で第１および第２の抵抗素子が保持されるので、ビスを用いることなく抵抗素子と抵抗保持部材とを確実に接続することが可能になるという作用を有する。
【００３０】
本発明の請求項３に記載の発明は、請求項１または２記載の画像形成ユニットが用いられている画像形成装置であり、ビスを用いることなく抵抗素子と抵抗保持部材とを確実に接続することが可能になるという作用を有する。
【００３１】
以下、本発明の実施の形態について、図１から図６を用いて説明する。なお、これらの図面において同一の部材には同一の符号を付しており、また、重複した説明は省略されている。
【００３２】
図１は本発明の一実施の形態によるカラー画像形成装置の構成を示す概略図、図２は図１のカラー画像形成装置における画像形成ユニットを詳しく示す説明図、図３は図２の画像形成ユニットに取り付けられた抵抗素子および一例としての抵抗保持部材を示す分解斜視図、図４は図３の抵抗素子および抵抗保持部材が組み立てられた状態を示す斜視図、図５は図２の画像形成ユニットに取り付けられた抵抗素子および他の一例としての抵抗保持部材を示す分解斜視図、図６は図５の抵抗素子および抵抗保持部材が組み立てられた状態を示す斜視図である。
【００３３】
図１において、カラー画像形成装置の本体１内にイエロー（Ｙ）、マゼンタ（Ｍ）、シアン（Ｃ）、ブラック（Ｋ）の各色のトナー像をそれぞれ形成するための画像形成ユニット２，３，４，５が順に着脱可能に配置され、これらの画像形成ユニット２〜５のそれぞれに対応して露光器６ａ，６ｂ，６ｃ，６ｄを備えている。
【００３４】
図２に詳しく示すように、画像形成ユニット２〜５は、回転可能に設けられた像担持体としての感光体ドラム（感光体）２ａ，３ａ，４ａ，５ａと、この感光体ドラム２ａ〜５ａに圧接されて感光体ドラム２ａ〜５ａの表面を一様な電位に帯電する帯電器（帯電手段）１５と、露光器６ａ〜６ｄからのレーザビームの照射によって周面に静電潜像の形成された感光体ドラム２ａ〜５ａにトナータンクから供給されるトナーを付着させて静電潜像をトナー像として顕像化する現像ローラ（現像手段）２ｂ，３ｂ，４ｂ，５ｂと、トナータンク内のトナーを撹拌するアジテータ１６と、トナーを現像ローラ２ｂ〜５ｂへ供給するサプライローラ１７と、現像ローラ２ｂ〜５ｂへ供給されたトナーを所定の厚みに整えるとともに摩擦により当該トナーを帯電するドクターブレード１８と、中間転写ベルト７へ画像転写した後の感光体ドラム２ａ〜５ａに残留しているトナーを除去するクリーニングブレード１９等を備えたものである。
【００３５】
なお、周方向に回転する感光体ドラム２ａ，３ａ，４ａ，５ａは、その回転中心軸が相互に平行になるように一列に配置されている。また、感光体ドラム２ａ〜５ａに圧接された帯電器１５は、感光体ドラム２ａ〜５ａの回転により回転する。つまり、感光体ドラム２ａ〜５ａに連れ回転する。
【００３６】
図１において、配列された画像形成ユニット２〜５の下側には、感光体ドラム２ａ，３ａ，４ａ，５ａ上に顕像化された各色トナー像が相互に重ね合わせ転写されてカラートナー像が形成される無端状の中間転写ベルト（中間転写体）７が矢印方向に走行可能に配置されている。中間転写ベルト７は、この中間転写ベルト７を走行させる駆動ローラ８、中間転写ベルト７に所定の張力を与えるテンションローラ９、各感光体ドラム２ａ〜５ａに対応して配置されて中間転写ベルト７を各感光体ドラム２ａ〜５ａに圧接して感光体ドラム２ａ〜５ａ上の各色トナー像を中間転写ベルト７に転写する４個の第１の転写ローラ１０ａ，１０ｂ，１０ｃ，１０ｄ、駆動ローラ８による中間転写ベルト７の回転により回転する従動ローラ１１がループ内に配置され、これらを巡って矢印方向に周回駆動される。
【００３７】
テンションローラ９は印刷期間では図においてスプリング（図示せず）によって付勢され右下に位置を移動することで中間転写ベルト７に張力を付与している。また非印刷期間では中間転写ベルト７と各ローラが長時間同じ位置で巻き付くことで巻癖が付かないようにテンションローラ８による中間転写ベルト７への張力の付与を解除している。
【００３８】
装置の下部には、用紙（記録媒体）Ｐが収納された給紙カセット１３が設けられている。そして、用紙Ｐは、給紙ローラにより給紙カセット１３から１枚ずつ用紙搬送路に送り出される。
【００３９】
用紙搬送路上には、従動ローラ１１の位置で中間転写ベルト７の外周面と所定量にわたって接触し、この中間転写ベルト７上に形成されたカラー画像を用紙Ｐに転写する第２の転写ローラ１２、用紙Ｐ上に転写されたカラー画像をローラの狭持回転に伴う圧力と熱とによって用紙Ｐに定着する定着器１４が配置されている。
【００４０】
このような構成の画像形成装置において、先ず画像形成ユニット２の感光体ドラム２ａ上に画像情報のイエロー成分色の潜像が形成される。この潜像はイエロートナーを有する現像手段２ｂによりイエロートナー像として可視像化され、第１の転写ローラ１０ａにより中間転写ベルト７上にイエロートナー像として転写される。
【００４１】
一方、イエロートナー像が中間転写ベルト７に転写されている間に、画像形成ユニット３ではマゼンタ成分色の潜像が形成され、続いて現像手段３ｂでマゼンタトナーによるマゼンタトナー像が顕像化される。そして、先の画像ユニット２でイエロートナー像の転写が終了した中間転写ベルト７にマゼンタトナー像が画像ユニット３の第１の転写ローラ１０ｂにて転写され、イエロートナー像と重ね合わされる。
【００４２】
以下、シアントナー像、ブラックトナー像についても同様にして画像形成が行われ、中間転写ベルト７に４色のトナー像の重ね合わせが終了する。
【００４３】
中間転写ベルト７上に形成されたカラー画像は、従動ローラ１１と第２の転写ローラ１２との間のニップ力によって給紙カセット１３から給紙された用紙Ｐに一括転写される。そして、転写されたトナー像は定着器１４で用紙Ｐに加熱定着され、この用紙Ｐ上にフルカラー画像が形成され、その後排紙される。
【００４４】
このようなカラー画像形成装置において、図３および図４に示すように、画像形成ユニット２〜５には、たとえば９０Ωの電気抵抗値を有する第１の抵抗素子２１と、第１の抵抗素子２１よりも大きな、たとえば５ｋΩの電気抵抗値を有する第２の抵抗素子２２とが相互に並列接続されて取り付けられている。なお、第２の抵抗素子２２が第１の抵抗素子２１よりも大きな電気抵抗値であればよく、第１の抵抗素子２１および第２の抵抗素子２２は前述の電気抵抗値に限定されるものではない。
【００４５】
これら第１および第２の抵抗素子２１，２２は、導電性を備えた金属製で板状の抵抗保持部材２３に固定されている。
【００４６】
図示するように、抵抗保持部材２３には、第１および第２の抵抗素子２１，２２に設けられたリード２１ａ，２２ａが径方向から挿し込まれるスリット２３ａと、リード２１ａ，２２ａが挟み込まれる挟持部２３ｂとが形成されている。そして、スリット２３ａにリード２１ａ，２２ａを仮止めして抵抗保持部材２３を画像形成ユニット２〜５に装着すると、挟持部２３ｂが弾発力に抗して画像形成ユニット２〜５のフレーム（図示せず）に沿って変形し、これにより挟持部２３ｂにリード２１ａ，２２ａが挟み込まれる。なお、挟持部２３ｂにはリード２１ａ，２２ａを挟み込む位置を決める保持溝２３ｃが形成されており、挟み込まれたリード２１ａ，２２ａが位置ずれしないようになっている。
【００４７】
このような構造において、画像形成ユニット２〜５が装置本体に装着された状態で、第１および第２の抵抗素子２１，２２が抵抗保持部材２３を介して装置本体と電気的に接続されるようになっている。これにより、装置本体側から給電が行われると、画像形成ユニット２〜５が装着されていれば第１および第２の抵抗素子２１，２２を介しての導通があるので、この導通の有無で画像形成ユニット２〜５の着脱が認識される。
【００４８】
また、画像形成ユニット２〜５が新規に装着されたときには第１の抵抗素子２１および第２の抵抗素子２２の両方に電流が流れることから、当該電流値により画像形成ユニット２〜５が新規であることが認識されて装置本体側の印字枚数カウンタがゼロにリセットされる。
【００４９】
画像形成ユニット２〜５がたとえば２，０００枚を印字したならば、第１の抵抗素子２１に過電流を流してこれを電気的に切断する。これにより、当該画像形成ユニット２〜５は「新品」の状態ではなくなったことになる。このとき、第１の抵抗素子２１は切断されて第２の抵抗素子２２のみに電流が流れることから、当該電流値により画像形成ユニット２〜５が「新品」でなくなったことが認識される。なお、装置本体側の印字枚数カウンタはカウントを継続する。
【００５０】
そして、印字枚数カウンタがたとえば印字枚数５０，０００枚をカウントしたならば、ユーザに対して画像形成ユニット２〜５の交換を促すメッセージが表示される。
【００５１】
なお、第１の抵抗素子２１の切断基準枚数、および画像形成ユニット２〜５の交換を促すメッセージの表示基準枚数は、前述した枚数に限定されるものではなく、自由に設定することができる。
【００５２】
このように、本実施の形態によれば、画像形成ユニット２〜５に装着された挟持部２３ｂによりリード２１ａ，２２ａが挟み込まれるので、ビスを用いることなく抵抗素子２１，２２と抵抗保持部材２３とを確実に接続することが可能になる。
【００５３】
ここで、抵抗保持部材２４は図５および図６に示すような形状にすることもできる。
【００５４】
つまり、図示する抵抗保持部材２４は、この金属製の抵抗保持部材２４が有する弾発復元力により相互に径方向に離反した第１の貫通孔２４ａおよび第２の貫通孔２４ｂが形成されたものである。これら第１および第２の貫通孔２４ａ，２４ｂは、抵抗保持部材２４を復元力に抗して変形させると略重なり合う位置に形成されている。
【００５５】
したがって、第１および第２の貫通孔２４ａ，２４ｂを重なり合わせてリード２１ａ，２２ａを貫通させた後に復元力を作用させると、リード２１ａ，２２ａが第１および第２の貫通孔２４ａ，２４ｂに挟み込まれた状態で第１および第２の抵抗素子２１，２２が保持される。
【００５６】
このような抵抗保持部材２４によれば、抵抗保持部材２４それ自体が有する復元力によりリード２１ａ，２２ａが第１および第２の貫通孔２４ａ，２４ｂに挟み込まれた状態で第１および第２の抵抗素子２１，２２が保持されるので、ビスを用いることなく抵抗素子２１，２２と抵抗保持部材２４とを確実に接続することが可能になる。
【００５７】
なお、以上では、本発明をカラー画像を形成する画像形成装置に適用した例で説明したが、モノクロ画像を形成する画像形成装置に適用することも可能である。
【００５８】
【発明の効果】
以上のように、本発明によれば、画像形成ユニットに装着された挟持部によりリードが挟み込まれるので、ビスを用いることなく抵抗素子と抵抗保持部材とを確実に接続することが可能になるという有効な効果が得られる。
【００５９】
また、本発明によれば、抵抗保持部材が有する復元力によりリードが第１および第２の貫通孔に挟み込まれた状態で第１および第２の抵抗素子が保持されるので、ビスを用いることなく抵抗素子と抵抗保持部材とを確実に接続することが可能になるという有効な効果が得られる。
【図面の簡単な説明】
【図１】本発明の一実施の形態によるカラー画像形成装置の構成を示す概略図
【図２】図１のカラー画像形成装置における画像形成ユニットを詳しく示す説明図
【図３】図２の画像形成ユニットに取り付けられた抵抗素子および一例としての抵抗保持部材を示す分解斜視図
【図４】図３の抵抗素子および抵抗保持部材が組み立てられた状態を示す斜視図
【図５】図２の画像形成ユニットに取り付けられた抵抗素子および他の一例としての抵抗保持部材を示す分解斜視図
【図６】図５の抵抗素子および抵抗保持部材が組み立てられた状態を示す斜視図
【図７】従来のカラー画像形成装置の構成を示す概略図
【図８】図７のカラー画像形成装置に設けられた抵抗素子および一例としての抵抗保持部材を示す分解斜視図
【符号の説明】
２，３，４，５  画像形成ユニット
２ａ，３ａ，４ａ，５ａ  感光体ドラム（感光体）
２ｂ，３ｂ，４ｂ，５ｂ  現像ローラ（現像手段）
２１  第１の抵抗素子
２１ａ  リード
２２  第２の抵抗素子
２２ａ  リード
２３  抵抗保持部材
２３ａ  スリット
２３ｂ  挟持部
２４  抵抗保持部材
２４ａ  第１の貫通孔
２４ｂ  第２の貫通孔
【図１】
2004233787.tif 000003
【図２】
2004233787.tif 000004
【図３】
2004233787.tif 000005
【図４】
2004233787.tif 000006
【図５】
2004233787.tif 000007
【図６】
2004233787.tif 000008
【図７】
2004233787.tif 000009
【図８】
2004233787.tif 000010